(57)【要約】【目的】建物の内装に影響を及ぼすことなく、ドリフトピンに起因した結露による内装材の美観あるいは機能低下、さらには構造材の腐朽による耐久性低下を防止する。【構成】本発明に係る木質構造部材の接合構造１は、部材側ピン孔１３及び金物側ピン孔８，８に挿通されたドリフトピン１４によって梁受け金物４を胴差し３に連結してあるとともに、仮受け用ピン孔１５に挿通された仮受け用ドリフトピン１６が、係止部６，６の仮受け用ピン溝９，９に嵌め込まれることにより、胴差し３を梁受け金物４で仮受けするようになっているが、部材側ピン孔１３の先端余剰空間２５には、断熱性栓体２３を気密に挿入してあるとともに、仮受け用ピン孔１５の先端余剰空間２４には、同じく断熱性栓体２３を気密に挿入してある。【選択図】  図１
2018025010.tif 000002
【特許請求の範囲】
【請求項１】
木質系材料からなる２つの軸部材を連結部材を用いて相互接合する木質軸部材の接合構造であって、前記連結部材を、金属材料からなるロッド状の連結部材で構成するとともに、前記２つの軸部材のうち、一方を被接合側軸部材、他方を接合側軸部材とし、該接合側軸部材に、一方の開口が屋外側を向き他方の開口が室内側を向くように軸部材側挿通孔を貫通形成して該軸部材側挿通孔に前記連結部材を配置してなる木質軸部材の接合構造において、
前記軸部材側挿通孔の内部空間であってその室内側開口と前記連結部材の室内側端部との間に形成された先端余剰空間に断熱性栓体を気密に挿入したことを特徴とする木質軸部材の接合構造。
【請求項２】
接合金物をその被接合側部位で前記被接合側軸部材に接合するとともに、該接合金物の接合側部位が、前記接合側軸部材の端部に前記軸部材側挿通孔と連通するように形成された挿入凹部に挿入された状態で、前記連結部材を前記軸部材側挿通孔と前記接合側部位に形成された金物側挿通孔に同軸配置した請求項１記載の木質軸部材の接合構造。
【請求項３】
前記接合側軸部材を梁、胴差し、桁、土台その他の横架材又は登り梁、前記接合金物を梁受け金物、該梁受け金物を構成する板状の取付け部を前記被接合側部位、該取付け部に立設された板状の係止部を前記接合側部位、前記挿入凹部をスリット、前記軸部材側挿通孔を部材側ピン孔、前記金物側挿通孔を金物側ピン孔、前記連結部材をドリフトピンとした請求項２記載の木質軸部材の接合構造。
【請求項４】
前記接合側軸部材の端部に形成された仮受け用ピン孔に挿通された仮受け用ドリフトピンが前記係止部の上縁に形成された仮受け用ピン溝に嵌め込まれることで、前記接合側軸部材が前記梁受け金物で仮受けされるように構成し、前記仮受け用ピン孔の内部空間であってその室内側開口と前記仮受け用ドリフトピンの室内側端部との間に形成された先端余剰空間に断熱性栓体を気密に挿入した請求項３記載の木質軸部材の接合構造。
【請求項５】
前記部材側ピン孔又はそれに加えて前記仮受け用ピン孔の室内側開口が覆われるように前記接合側軸部材の室内側側面に気密テープを貼着した請求項３又は請求項４記載の木質軸部材の接合構造。
【請求項６】
前記接合側軸部材の室内側では前記気密テープが覆われ、屋外側では前記部材側ピン孔又はそれに加えて前記仮受け用ピン孔の屋外側開口が覆われるように前記接合側軸部材に気密フィルムを鞍掛けした請求項５記載の木質軸部材の接合構造。
【請求項７】
前記接合金物をホゾパイプ、前記挿入凹部をホゾパイプ用丸穴、前記軸部材側挿通孔を部材側ピン孔、前記金物側挿通孔を金物側ピン孔、前記連結部材をドリフトピンとするとともに、前記接合側軸部材及び前記被接合側軸部材のうち、一方を柱、他方を胴差し、桁、土台その他の横架材とし、前記接合側部位を前記ホゾパイプの上半部分、下半部分又はパイプ本体、前記被接合側部位を前記ホゾパイプの下半部分、上半部分又はパイプ本体から軸方向に突設された雄ネジとした請求項２記載の木質軸部材の接合構造。
【請求項８】
前記部材側ピン孔の室内側開口が覆われるように前記接合側軸部材又はそれに加えて前記被接合側軸部材の室内側側面に気密テープを貼着した請求項７記載の木質軸部材の接合構造。
【請求項９】
前記連結部材を連結ボルトで構成し、該連結ボルトの先端を前記被接合側軸部材に連結するとともに、前記接合側軸部材の室内側側面に前記軸部材側挿通孔と連通する座ぐりを該軸部材側挿通孔と連続一体化する形で設けた請求項１記載の木質軸部材の接合構造。
【請求項１０】
前記軸部材側挿通孔の室内側開口が覆われるように前記接合側軸部材の室内側側面に気密テープを貼着した請求項９記載の木質軸部材の接合構造。
【請求項１１】
前記断熱性栓体を、発泡プラスチックでかつ円錐台状に形成した請求項１乃至請求項１０のいずれか一記載の木質軸部材の接合構造。
【発明の詳細な説明】
【技術分野】
【０００１】
本発明は、木造建物、特に木造住宅に適用される木質軸部材の接合構造に関する。
【背景技術】
【０００２】
住宅等の木造建物においては、床、壁、天井といった屋外との境界部位に位置する建物要素を断熱構造とすることで建物の熱損失を減らすとともに、四季を通じて居住快適性を高める工夫が重要となる。
【０００３】
一方、柱、梁、土台等の軸部材を接合金物を用いて相互に接合することにより、軸部材相互の緊結を図って建物の耐震性を向上させることも必要不可欠であるが、接合金物をはじめとした金属部材を屋内外に貫通配置した場合には、熱伝導率が高いために、いわゆる熱橋（ヒートブリッジ）が生じ、断熱性能の点からは大きな熱損失の原因になるとともに、室内側部位の温度低下によって結露が生じ、断熱材や構造材あるいは内装材の耐久性を低下させる原因ともなる。
【０００４】
そのため、ボルトの頭部に嵌め込むように構成された熱橋キャップ（特許文献１，２）や、基端側が断熱可能に構成されたドリフトピン（特許文献３，４）が提案されている。
【先行技術文献】
【特許文献】
【０００５】
【特許文献１】特開２０１３−１１１１６号公報
【特許文献２】特開２０１４−２０１８８１号公報
【特許文献３】特開２０１３−１１７０８６号公報
【特許文献４】実用新案登録第３０４７０３７号公報
【発明の概要】
【発明が解決しようとする課題】
【０００６】
しかしながら、特許文献１，２記載の熱橋キャップは、ボルトの頭部に嵌め込む構成となっている関係上、該頭部の周囲に形成されたスペースに断熱材を配置することはできても、その正面側にはスペースの余裕がないため、断熱材を配置するにも限度があるという問題や、そもそも引寄せボルトへの適用が前提であるためにドリフトピンへの転用が難しいという問題を生じていた。
【０００７】
また、特許文献３，４記載のドリフトピンは、それらの基端側が断熱可能に構成してあるところ、ドリフトピンは、その先端が室内側となるようにその基端側を叩いて接合箇所に圧入するようになっているため、断熱のための材料や部材は、叩き操作に対しても十分な強度を持つ必要があり、それゆえ断熱性能を持たせるにはやはり限度がある。
【０００８】
加えて、特許文献３，４記載の発明においては、建物内の熱エネルギーは、室内側から熱伝導率が高いドリフトピンに流れ込んで該ドリフトピンを貫流した後、その基端側に設けられた断熱部位を避けるようにして建物外へと逸散するため、十分な断熱効果を期待することができないことが本出願人の実験及び解析で明らかになった。
【０００９】
これは、ドリフトピンの基端側のみならず、その周囲を壁面に沿って広く断熱することが必要であることを意味するものであるが、建物の断熱形式として外張断熱を採用する場合はともかく、充填断熱を採用する場合には、上記構成の採用は本来的に難しい。
【００１０】
そのため、充填断熱の場合には、ドリフトピンによる熱橋を防止すべく、室内側に断熱ボードを取り付けていたところ、該断熱ボードの厚みが室内側への壁ふかしとなるため、建物の内装に影響を及ぼすという問題を生じていた。
【課題を解決するための手段】
【００１１】
本発明は、上述した事情を考慮してなされたもので、充填断熱を採用する場合において、建物の内装に影響を及ぼすことなく、ドリフトピンに起因した結露による内装材の美観あるいは機能低下、さらには構造材の腐朽による耐久性低下を防止可能な木質軸部材の接合構造を提供することを目的とする。
【００１２】
上記目的を達成するため、本発明に係る木質軸部材の接合構造は請求項１に記載したように、木質系材料からなる２つの軸部材を連結部材を用いて相互接合する木質軸部材の接合構造であって、前記連結部材を、金属材料からなるロッド状の連結部材で構成するとともに、前記２つの軸部材のうち、一方を被接合側軸部材、他方を接合側軸部材とし、該接合側軸部材に、一方の開口が屋外側を向き他方の開口が室内側を向くように軸部材側挿通孔を貫通形成して該軸部材側挿通孔に前記連結部材を配置してなる木質軸部材の接合構造において、
前記軸部材側挿通孔の内部空間であってその室内側開口と前記連結部材の室内側端部との間に形成された先端余剰空間に断熱性栓体を気密に挿入したものである。
【００１３】
また、本発明に係る木質軸部材の接合構造は、接合金物をその被接合側部位で前記被接合側軸部材に接合するとともに、該接合金物の接合側部位が、前記接合側軸部材の端部に前記軸部材側挿通孔と連通するように形成された挿入凹部に挿入された状態で、前記連結部材を前記軸部材側挿通孔と前記接合側部位に形成された金物側挿通孔に同軸配置したものである。
【００１４】
また、本発明に係る木質軸部材の接合構造は、前記接合側軸部材を梁、胴差し、桁、土台その他の横架材又は登り梁、前記接合金物を梁受け金物、該梁受け金物を構成する板状の取付け部を前記被接合側部位、該取付け部に立設された板状の係止部を前記接合側部位、前記挿入凹部をスリット、前記軸部材側挿通孔を部材側ピン孔、前記金物側挿通孔を金物側ピン孔、前記連結部材をドリフトピンとしたものである。
【００１５】
また、本発明に係る木質軸部材の接合構造は、前記接合側軸部材の端部に形成された仮受け用ピン孔に挿通された仮受け用ドリフトピンが前記係止部の上縁に形成された仮受け用ピン溝に嵌め込まれることで、前記接合側軸部材が前記梁受け金物で仮受けされるように構成し、前記仮受け用ピン孔の内部空間であってその室内側開口と前記仮受け用ドリフトピンの室内側端部との間に形成された先端余剰空間に断熱性栓体を気密に挿入したものである。
【００１６】
また、本発明に係る木質軸部材の接合構造は、前記部材側ピン孔又はそれに加えて前記仮受け用ピン孔の室内側開口が覆われるように前記接合側軸部材の室内側側面に気密テープを貼着したものである。
【００１７】
また、本発明に係る木質軸部材の接合構造は、前記接合側軸部材の室内側では前記気密テープが覆われ、屋外側では前記部材側ピン孔又はそれに加えて前記仮受け用ピン孔の屋外側開口が覆われるように前記接合側軸部材に気密フィルムを鞍掛けしたものである。
【００１８】
また、本発明に係る木質軸部材の接合構造は、前記接合金物をホゾパイプ、前記挿入凹部をホゾパイプ用丸穴、前記軸部材側挿通孔を部材側ピン孔、前記金物側挿通孔を金物側ピン孔、前記連結部材をドリフトピンとするとともに、前記接合側軸部材及び前記被接合側軸部材のうち、一方を柱、他方を胴差し、桁、土台その他の横架材とし、前記接合側部位を前記ホゾパイプの上半部分、下半部分又はパイプ本体、前記被接合側部位を前記ホゾパイプの下半部分、上半部分又はパイプ本体から軸方向に突設された雄ネジとしたものである。
【００１９】
また、本発明に係る木質軸部材の接合構造は、前記部材側ピン孔の室内側開口が覆われるように前記接合側軸部材又はそれに加えて前記被接合側軸部材の室内側側面に気密テープを貼着したものである。
【００２０】
また、本発明に係る木質軸部材の接合構造は、前記連結部材を連結ボルトで構成し、該連結ボルトの先端を前記被接合側軸部材に連結するとともに、前記接合側軸部材の室内側側面に前記軸部材側挿通孔と連通する座ぐりを該軸部材側挿通孔と連続一体化する形で設けたものである。
【００２１】
また、本発明に係る木質軸部材の接合構造は、前記軸部材側挿通孔の室内側開口が覆われるように前記接合側軸部材の室内側側面に気密テープを貼着したものである。
【００２２】
また、本発明に係る木質軸部材の接合構造は、前記断熱性栓体を、発泡プラスチックでかつ円錐台状に形成したものである。
【００２３】
本発明に係る木質軸部材の接合構造においては、木質系材料からなる２つの軸部材を、金属材料からなるロッド状の連結部材を用いて相互接合するにあたり、該２つの軸部材のうち、接合側軸部材に軸部材側挿通孔を貫通形成して該軸部材側挿通孔に連結部材を配置するが、その際、軸部材側挿通孔の内部空間であってその室内側開口と前記連結部材の室内側端部との間に形成された先端余剰空間に断熱性栓体を気密に挿入してある。
【００２４】
このようにすると、断熱性栓体は、連結部材の室内側端部近傍を入口とした室内側から屋外側への熱エネルギーの流れを遮断ないしは抑制する機能を発揮し、該連結部材による熱橋が抑制される。
【００２５】
そのため、軸部材側挿通孔の室内側開口近傍での結露が防止されることとなり、かくしてその室内側に設置される石こうボード、クロス等の内装材に結露水が浸透し、それが原因で汚損等の美観低下を招いたり、含水率の上昇による機能低下を招くおそれがなくなる。
【００２６】
また、断熱性栓体は、軸部材側挿通孔の室内側開口と連結部材の室内側端部との間に形成された先端余剰空間に気密に挿入してあるため、軸部材側挿通孔への室内側空気の流入を上述の室内側開口で遮断し、軸部材側挿通孔内における湿度を低下させる機能も発揮する。
【００２７】
そのため、連結部材の表面結露も防止されることとなり、かくして接合側軸部材の含水率が上昇して腐朽による耐久性低下を招く事態も未然に防止される。
【００２８】
本発明は、あらゆる構造形式の木造建物に適用可能であって、例えば通し柱を用いた在来軸組構造をはじめ、柱、特に壁柱を用いた梁勝ちのラーメン構造に適用することができる。
【００２９】
連結部材が配置される軸部材側挿通孔は、便宜上、接合側軸部材に貫通形成されるものとしてあるが、相互接合される２つの軸部材のうち、どちらを接合側軸部材とし、あるいは被接合側軸部材とするかは任意であって、２つの軸部材のうちのいずれに軸部材側挿通孔を貫通形成してもかまわない。
【００３０】
なお、被接合側軸部材は、木質系材料からなる軸部材である限り、その部位は問わないものであり、梁、胴差し、桁、土台、柱など全ての軸部材が包摂される。
【００３１】
連結部材は、金属材料からなるロッド状の部材であって、接合側軸部材に貫通形成された軸部材側挿通孔に配置されるものである限り、具体的構成は問わないし、単独で２つの軸部材を相互接合するのか、他の部材と組み合わせて２つの軸部材を相互接合するのかも任意であるが、以下の２つの構成、すなわち、
(a)  接合金物をその被接合側部位で前記被接合側軸部材に接合するとともに、該接合金物の接合側部位が、前記接合側軸部材の端部に前記軸部材側挿通孔と連通するように形成された挿入凹部に挿入された状態で、前記連結部材を前記軸部材側挿通孔と前記接合側部位に形成された金物側挿通孔に同軸配置した構成
(b)  前記連結部材を連結ボルトで構成し、該連結ボルトの先端を前記被接合側軸部材に連結するとともに、前記接合側軸部材の室内側側面に前記軸部材側挿通孔と連通する座ぐりを該軸部材側挿通孔と連続一体化する形で設けた構成
が典型例となる。
【００３２】
ここで、構成(a)は、連結部材と組み合わされる接合金物の構成が限定されるケースであって、その接合金物の接合側部位が接合側軸部材の端部に挿入された状態で、それらに各々形成された金物側挿通孔と軸部材側挿通孔に連結部材を貫通配置する例であり、構成(b)は、連結部材の先端を被接合側軸部材にどのように連結するかが任意であるケースであって、連結部材である連結ボルトを引寄せボルトで構成する例が典型例となる。
【００３３】
なお、構成(a)は、さらに以下の２つの構成、すなわち、
(a-1)  前記接合側軸部材を梁、胴差し、桁、土台その他の横架材又は登り梁、前記接合金物を梁受け金物、該梁受け金物を構成する板状の取付け部を前記被接合側部位、該取付け部に立設された板状の係止部を前記接合側部位、前記挿入凹部をスリット、前記軸部材側挿通孔を部材側ピン孔、前記金物側挿通孔を金物側ピン孔、前記連結部材をドリフトピンとした構成
(a-2)  前記接合金物をホゾパイプ、前記挿入凹部をホゾパイプ用丸穴、前記軸部材側挿通孔を部材側ピン孔、前記金物側挿通孔を金物側ピン孔、前記連結部材をドリフトピンとするとともに、前記接合側軸部材及び前記被接合側軸部材のうち、一方を柱、他方を胴差し、桁、土台その他の横架材とし、前記接合側部位を前記ホゾパイプの上半部分、下半部分又はパイプ本体、前記被接合側部位を前記ホゾパイプの下半部分、上半部分又はパイプ本体から軸方向に突設された雄ネジとした構成
が典型例となる。
【００３４】
ここで、梁受け金物には、上述の記載でもわかる通り、横架材を受けるものに限定されるものではなく、登り梁を受ける場合も包摂される。
【００３５】
(a-1)に係る構成において、接合側軸部材の端部に形成された仮受け用ピン孔に挿通された仮受け用ドリフトピンが上述した係止部の上縁に形成された仮受け用ピン溝に嵌め込まれることで、接合側軸部材が梁受け金物で仮受けされるように構成されている場合には、仮受け用ピン孔の内部空間であってその室内側開口と仮受け用ドリフトピンの室内側端部との間に形成された先端余剰空間に断熱性栓体を気密に挿入する。
【００３６】
このようにすれば、仮受け用ドリフトピンについても、上述したドリフトピンと同様に熱橋が抑制されるほか、仮受け用ドリフトピンの表面結露も防止されるが、その作用効果についてはドリフトピンの場合と同様であるので、ここではその説明を省略する。
【００３７】
軸部材側挿通孔や仮受け用ピン孔の室内側開口は、上述の断熱性栓体が先端余剰空間に気密に挿入された状態で石こうボード等の内装材が直接取り付けられてもかまわないが、これらの室内側開口が覆われるように接合側軸部材の室内側側面に気密テープを貼着した構成とするならば、軸部材側挿通孔や仮受け用ピン孔への室内側空気の流入をより確実に遮断することが可能となる。
【００３８】
特に、梁受け金物を用いた構成の場合、接合側軸部材の室内側では気密テープが覆われ、屋外側では部材側ピン孔又はそれに加えて仮受け用ピン孔の屋外側開口が覆われるように接合側軸部材に気密フィルムを鞍掛けした構成とすることが可能である。
【００３９】
かかる構成によれば、上述した部材側ピン孔や仮受け用ピン孔への室内側空気の流入をさらに確実に遮断することができるとともに、部材側ピン孔や仮受け用ピン孔の屋外側開口では、部分的な外張断熱が行われることとなり、ドリフトピンや仮受け用ドリフトピンによる熱橋をより確実に防止することが可能となる。
【００４０】
(a-2)に係る構成は、接合金物をホゾパイプとした例であるが、柱が接合側軸部材で、横架材が被接合側軸部材としてもよいし、その逆でもよい。また、柱の接合箇所が脚部であるか頂部であるかも問わない。
【００４１】
ここで、柱が接合側軸部材でその脚部で横架材に接合する場合には、接合側部位は、ホゾパイプの上半部分となり、被接合側部位はホゾパイプの下半部分となる。また、柱が接合側軸部材でその頂部で横架材に接合する場合には、接合側部位は、ホゾパイプの下半部分となり、被接合側部位はホゾパイプの上半部分となる。
【００４２】
また、横架材（例えば土台）が接合側軸部材でその上面で被接合側軸部材である柱を接合する場合には、接合側部位はホゾパイプの下半部分となり、被接合側部位はホゾパイプの上半部分となる。
【００４３】
また、上半部分と下半部分にそれぞれ金物側ピン孔が形成されたホゾパイプに代えて、フィンボルトとの併用を前提とした、金物側ピン孔が形成されたパイプ本体と該パイプ本体からその材軸方向に突設された雄ネジとからなるホゾパイプを用いる場合には、柱が接合側軸部材、フィンボルトが埋設された桁等の横架材が被接合側軸部材となり、接合側部位はパイプ本体、被接合側部位は雄ネジとなる。
【００４４】
断熱性栓体は、先端余剰空間に気密に挿入することが可能であって、該挿入配置によって、ドリフトピン、連結ボルト等の連結部材や仮受け用ドリフトピンによる熱橋を抑制可能である限り、その形状や材質は問わないが、これを、発泡プラスチックでかつ円錐台状に形成したならば、経年劣化が少なく断熱性能が維持されることに加え、小円側を軸部材側挿通孔や仮受け用ピン孔の室内側開口に向けて押し込むことで、大円側が収縮状態で挿入されることとなり、かくして軸部材側挿通孔や仮受け用ピン孔からの脱落が防止されるとともに、気密性の確保や挿入時の作業性向上を図ることが可能となる。
【００４５】
発泡プラスチックは、ポリウレタン、ポリスチレン、ポリエチレン、ポリプロピレンといった合成樹脂を発泡させて適宜形成すればよい。
【図面の簡単な説明】
【００４６】
【図１】第１実施形態に係る木質軸部材の接合構造１を示した全体組立斜視図。
【図２】木質軸部材の接合構造１の図であり、(a)は水平断面図、(b)はＡ−Ａ線に沿った鉛直断面図、(c)はＢ−Ｂ線方向から見た矢視図。
【図３】断熱性栓体２３の配置状況を示した詳細鉛直断面図。
【図４】同じく断熱性栓体２３の配置状況を示した斜視図。
【図５】変形例に係る木質軸部材の接合構造を示した全体斜視図。
【図６】第２実施形態に係る木質軸部材の接合構造６１を示した全体組立斜視図。
【図７】木質軸部材の接合構造６１の鉛直断面図。
【図８】変形例に係る木質軸部材の接合構造８１を示した全体組立斜視図。
【図９】第３実施形態が適用される建物部位を示した概略平面図。
【図１０】第３実施形態に係る木質軸部材の接合構造の図であり、(a)は水平断面図、(b)はＣ−Ｃ線に沿った鉛直断面図。
【発明を実施するための形態】
【００４７】
以下、本発明に係る木質軸部材の接合構造の実施の形態について、添付図面を参照して説明する。
【００４８】
［第１実施形態］
図１は、本実施形態に係る木質軸部材の接合構造を示した全体組立斜視図、図２は同じく水平断面図、Ａ−Ａ線に沿った鉛直断面図及びＢ−Ｂ線方向から見た矢視図である。これらの図でわかるように、本実施形態に係る木質軸部材の接合構造１は、被接合側軸部材である胴差し２と接合側軸部材である胴差し３とを梁受け金物４を介して相互接合する場合に適用してある。
【００４９】
なお、本実施形態に係る木質軸部材の接合構造１では、梁勝ち構造が想定されており、胴差し２及び胴差し３が取り合う出隅部下面には、下階柱の頂部が連結され、出隅部上面には上階柱の脚部が連結されるが、これらの柱については便宜上、図示を省略する。
【００５０】
梁受け金物４は、被接合側部位である矩形板状の取付け部５の各長手縁部に、接合側部位である矩形板状の係止部６，６を互いに対向するようにそれぞれ立設することで、横断面が概ねコの字状をなすように構成してあるとともに、取付け部５に金物側ボルト孔７を、係止部６，６に金物側ピン孔８，８をそれぞれ穿孔形成してある。
【００５１】
また、胴差し３の端部には、一方の開口が屋外側を向き、他方の開口が室内側を向くように、軸部材側挿通孔としての部材側ピン孔１３を貫通形成してあるとともに、該部材側ピン孔と連通するように挿入凹部としてのスリット１１を形成してある。
【００５２】
本実施形態に係る木質軸部材の接合構造１は、梁受け金物４を引寄せボルト１０を介して胴差し２に連結するとともに、梁受け金物４の係止部６，６が胴差し３の端部１２に形成されたスリット１１，１１に差し込まれた状態で、部材側ピン孔１３と係止部６，６に形成された金物側ピン孔８，８に同軸配置されたドリフトピン１４によって該梁受け金物を胴差し３に連結してある。
【００５３】
また、係止部６，６には、金物側ピン孔８，８の上方であって係止部６，６の各上縁に仮受け用ピン溝９，９を形成してあるとともに、胴差し３の端部１２には、部材側ピン孔１３の上方に仮受け用ピン孔１５を穿孔形成してあり、該仮受け用ピン孔に仮受け用ドリフトピン１６を予め打ち込んでおき、梁受け金物４の係止部６，６が胴差し３のスリット１１，１１に差し込まれるように胴差し３を落とし込んだとき、仮受け用ドリフトピン１６が係止部６，６の仮受け用ピン溝９，９に嵌め込まれることにより、胴差し３が梁受け金物４で仮受けされるようになっている。
【００５４】
ここで、図３でよくわかるように、部材側ピン孔１３の内部空間であって、その室内側開口２１とドリフトピン１４の先端との間に形成された先端余剰空間２５には、断熱性栓体２３を気密に挿入してあるとともに、仮受け用ピン孔１５の内部空間であって、その室内側開口２２と仮受け用ドリフトピン１６の先端との間に形成された先端余剰空間２４には、同じく断熱性栓体２３を気密に挿入してある。
【００５５】
断熱性栓体２３は、厚さｔが８ｍｍ程度、小円側の直径φ1が１２ｍｍ程度、大円側の直径φ2が１４ｍｍ程度の円錐台状となるように、発泡プラスチックで形成してある。
【００５６】
ドリフトピン１４や仮受け用ドリフトピン１６は、部材側ピン孔１３や仮受け用ピン孔１５の各内部空間に先端余剰空間２５や先端余剰空間２４がそれぞれ形成されるよう、胴差し３の梁幅から断熱性栓体２３の厚さｔ又は該厚さに若干の余裕を加えた寸法を差し引いた長さとなるように形成するが、例えば汎用のドリフトピンの先端を８ｍｍ程度切削して構成することが可能である。
【００５７】
本実施形態に係る木質軸部材の接合構造１を組み立てるには、梁受け金物４の取付け部５を胴差し２の側面に当接させた状態で、胴差し２に貫通配置された引寄せボルト１０を、該取付け部に形成された金物側ボルト孔７に挿通することで、梁受け金物４を胴差し２に連結する。
【００５８】
次に、仮受け用ドリフトピン１６が仮受け用ピン孔１５に予め打ち込まれた胴差し３を、梁受け金物４の係止部６，６が胴差し３のスリット１１，１１に差し込まれるように落とし込み、次いで、仮受け用ドリフトピン１６を係止部６，６の仮受け用ピン溝９，９に嵌め込むことで、胴差し３を梁受け金物４で仮受けする。
【００５９】
このようにすると、胴差し３に形成された部材側ピン孔１３が、係止部６，６に形成された金物側ピン孔８，８に概ね同軸に位置決めされた状態となるので、これら部材側ピン孔１３及び金物側ピン孔８，８にドリフトピン１４を挿通することで、梁受け金物４を胴差し３に連結する。
【００６０】
次に、部材側ピン孔１３の内部空間であって、その室内側開口２１とドリフトピン１４の先端との間に形成された先端余剰空間２５に断熱性栓体２３を挿入するとともに、仮受け用ピン孔１５の内部空間であって、その室内側開口２２と仮受け用ドリフトピン１６の先端との間に形成された先端余剰空間２４に断熱性栓体２３を挿入する。
【００６１】
断熱性栓体２３を部材側ピン孔１３の先端余剰空間２５や仮受け用ピン孔１５の先端余剰空間２４に挿入するにあたっては、該断熱性栓体の小円側を部材側ピン孔１３の室内側開口２１や仮受け用ピン孔１５の室内側開口２２に向け、大円側が収縮するようにそれぞれ押し込めばよい。
【００６２】
図４は、断熱性栓体２３の挿入操作が完了した状態の該断熱性栓体とドリフトピン１４あるいは仮受け用ドリフトピン１６との相対位置関係を示したものであり、同図右側手前が室内側、左側及び奥側が屋外側となる。
【００６３】
以上説明したように、本実施形態に係る木質軸部材の接合構造１によれば、胴差し３の端部１２に形成された仮受け用ピン孔１５に仮受け用ドリフトピン１６をその先端が室内側となるように予め挿通して該仮受け用ドリフトピンを係止部６，６の上縁に形成された仮受け用ピン溝９，９に嵌め込むことにより、胴差し３を梁受け金物４で仮受けするように構成してあるとともに、胴差し３の端部１２に形成されたスリット１１，１１に梁受け金物４の係止部６，６が差し込まれた状態で、該係止部に形成された金物側ピン孔８，８と端部１２に形成された部材側ピン孔１３にドリフトピン１４をその先端が室内側となるように挿通することで、梁受け金物４を胴差し３に連結してあるが、部材側ピン孔１３の内部空間であって、その室内側開口２１とドリフトピン１４の先端との間に形成された先端余剰空間２５には、断熱性栓体２３を挿入してあるとともに、仮受け用ピン孔１５の内部空間であって、その室内側開口２２と仮受け用ドリフトピン１６の先端との間に形成された先端余剰空間２４にも、同様に断熱性栓体２３を挿入してある。
【００６４】
このようにすると、断熱性栓体２３は、ドリフトピン１４や仮受け用ドリフトピン１６の先端近傍を入口とした室内側から屋外側への熱エネルギーの流れを遮断ないしは抑制する機能を発揮し、ドリフトピン１４や仮受け用ドリフトピン１６による熱橋が抑制される。
【００６５】
そのため、部材側ピン孔１３の室内側開口２１近傍及び仮受け用ピン孔１５の室内側開口２２近傍での結露が防止されることとなり、かくしてそれらの室内側に設置される石こうボード、クロス等の内装材に結露水が浸透し、それが原因で汚損等の美観低下を招いたり、含水率の上昇による機能低下を招くおそれがなくなるとともに、従来のように内装材の背後に断熱ボードを取り付ける必要がなくなるので、断熱ボードの厚み分が室内側に突出するおそれもなくなる。
【００６６】
また、断熱性栓体２３は、部材側ピン孔１３の室内側開口２１や仮受け用ピン孔１５の室内側開口２２に気密に挿入してあるため、部材側ピン孔１３や仮受け用ピン孔１５といった各空間への室内側空気の流入をそれらの室内側開口２１，２２で遮断し、該各空間内における湿度を低下させる機能も発揮する。
【００６７】
そのため、ドリフトピン１４や仮受け用ドリフトピン１６の表面結露も防止されることとなり、かくして胴差し３の含水率が上昇して腐朽による耐久性低下を招く事態も未然に防止される。
【００６８】
また、本実施形態に係る木質軸部材の接合構造１によれば、断熱性栓体２３を発泡プラスチックでかつ円錐台状に形成したので、経年劣化が少なく断熱性能が維持されることに加え、小円側を部材側ピン孔１３の室内側開口２１や仮受け用ピン孔１５の室内側開口２２に向けて押し込むことで、大円側が収縮状態で挿入されることとなり、かくして部材側ピン孔１３や仮受け用ピン孔１５からの脱落が防止されるとともに、気密性の確保や挿入時の作業性向上を図ることが可能となる。
【００６９】
本実施形態では特に言及しなかったが、図５(a)に示すように、部材側ピン孔１３の室内側開口２１や仮受け用ピン孔１５の室内側開口２２が覆われるように、胴差し３の室内側側面、同図では右側側面に気密テープ３１を貼着した構成を採用することができる。
【００７０】
かかる構成によれば、部材側ピン孔１３の室内側開口２１や仮受け用ピン孔１５の室内側開口２２に挿入された各断熱性栓体２３の脱落が確実に防止されるほか、該断熱性栓体の気密作用に、気密テープ３１による気密作用が相乗するため、部材側ピン孔１３及び仮受け用ピン孔１５への室内側空気の流入をより確実に遮断することが可能となる。
【００７１】
また、同図(b)に示すように、室内側では気密テープ３１が覆われ、屋外側では部材側ピン孔１３や仮受け用ピン孔１５の屋外側開口が覆われるように、胴差し３に気密フィルム３２を鞍掛けした構成とすることが可能である。
【００７２】
かかる構成によれば、部材側ピン孔１３や仮受け用ピン孔１５への室内側空気の流入をさらに確実に遮断することができるとともに、部材側ピン孔１３や仮受け用ピン孔１５の屋外側開口では、部分的な外張断熱が行われることとなり、ドリフトピン１４や仮受け用ドリフトピン１６による熱橋をより確実に防止することが可能となる。
【００７３】
気密フィルム３２は、発泡ポリエチレンシートにアルミニウムを蒸着させたものを用いるのが望ましく、例えば「ダンシーツＳＰ」（「ダンシーツ」は登録商標）の名称で市販されている気密フィルムを用いることができる。
【００７４】
［第２実施形態］
次に、第２実施形態に係る木質軸部材の接合構造について説明する。なお、第１実施形態と実質的に同一の部品等については、同一の符号を付してその説明を省略する。
【００７５】
図６は、本実施形態に係る木質軸部材の接合構造を示した全体組立斜視図である。同図でわかるように、第２実施形態に係る木質軸部材の接合構造６１は、土台６２と柱６３とをホゾパイプ６４を介して相互接合する場合に適用してある。
【００７６】
ホゾパイプ６４には、その各端近傍に材軸直交方向に沿って金物側ピン孔６５，６６を設けてあり、これら金物側ピン孔６５，６６にドリフトピン１４，１４がそれぞれ挿通されるようになっている。
【００７７】
一方、土台６２には、ホゾパイプ６４のうち、金物側ピン孔６５が形成された下半部分が挿入されるホゾパイプ用丸穴６７が形成してあるとともに、該ホゾパイプ用丸穴と連通するように、かつ一方の開口が屋外側を向き、他方の開口が室内側を向くように部材側ピン孔６９を貫通形成してある。
【００７８】
また、柱６３には、ホゾパイプ６４のうち、金物側ピン孔６６が形成された上半部分が挿入されるホゾパイプ用丸穴６８が形成してあるとともに、該ホゾパイプ用丸穴と連通するように、かつ一方の開口が屋外側を向き、他方の開口が室内側を向くように部材側ピン孔７０を貫通形成してある。
【００７９】
ここで、第２実施形態に係る木質軸部材の接合構造６１は、土台６２が被接合側軸部材となって該土台に接合側軸部材である柱６３を接合した構造であるとともに、柱６３が被接合側軸部材となって該柱に接合側軸部材である土台６２を接合した構造でもあり、前者の構造においては、ホゾパイプ６４の上半部分が接合側部位、ホゾパイプ用丸穴６８が挿入凹部となり、後者の構造においては、ホゾパイプ６４の下半部分が接合側部位、ホゾパイプ用丸穴６７が挿入凹部となる。
【００８０】
本実施形態に係る木質軸部材の接合構造６１は、ホゾパイプ６４の下半部分が土台６２のホゾパイプ用丸穴６７に挿入された状態で、土台６２に形成された部材側ピン孔６９とホゾパイプ６４の下半部分に形成された金物側ピン孔６５に同軸配置されたドリフトピン１４によってホゾパイプ６４をその下半部分で土台６２に連結してあるとともに、ホゾパイプ６４の上半部分が柱６３のホゾパイプ用丸穴６８に挿入された状態で、柱６３に形成された部材側ピン孔７０とホゾパイプ６４の上半部分に形成された金物側ピン孔６６に同軸配置されたドリフトピン１４によってホゾパイプ６４をその上半部分で柱６３に連結してある。
【００８１】
ここで、図７でよくわかるように、部材側ピン孔６９，７０の内部空間であって、その室内側開口７１，７２とドリフトピン１４，１４の先端との間に形成された先端余剰空間７３，７４には、断熱性栓体２３，２３をそれぞれ気密に挿入してある。
【００８２】
断熱性栓体２３，２３を部材側ピン孔６９，７０の先端余剰空間７３，７４に挿入するにあたっては、該断熱性栓体の小円側を部材側ピン孔６９，７０の室内側開口７１，７２に向け、図３で説明したと同様に大円側が収縮するようにそれぞれ押し込めばよい。
【００８３】
以上説明したように、本実施形態に係る木質軸部材の接合構造６１によれば、断熱性栓体２３は、ドリフトピン１４の先端近傍を入口とした室内側から屋外側への熱エネルギーの流れを遮断ないしは抑制する機能を発揮し、ドリフトピン１４による熱橋が抑制される。
【００８４】
そのため、部材側ピン孔６９，７０の室内側開口７１，７２近傍での結露が防止されることとなり、かくしてそれらの室内側に設置される石こうボード、クロス等の内装材に結露水が浸透し、それが原因で汚損等の美観低下を招いたり、含水率の上昇による機能低下を招くおそれがなくなるとともに、従来のように内装材の背後に断熱ボードを取り付ける必要がなくなるので、断熱ボードの厚み分が室内側に突出するおそれもなくなる。
【００８５】
また、断熱性栓体２３は、部材側ピン孔６９，７０の室内側開口７１，７２に気密に挿入してあるため、部材側ピン孔６９，７０への室内側空気の流入をそれらの室内側開口７１，７２で遮断し、該各空間内における湿度を低下させる機能も発揮する。
【００８６】
そのため、ドリフトピン１４の表面結露も防止されることとなり、かくして土台６２や柱６３の含水率が上昇して腐朽による耐久性低下を招く事態も未然に防止される。
【００８７】
また、本実施形態でも、第１実施形態と同様、部材側ピン孔６９，７０の室内側開口７１，７２が覆われるように、土台６２及び柱６３の室内側側面に気密テープ３１を貼着した構成を採用することができる。
【００８８】
また、本実施形態では特に言及しなかったが、図８に示すように、土台６２に代えて、桁８２を被接合側軸部材として該桁に接合側軸部材である柱６３を接合する場合には、ホゾパイプ６４に代えて、ホゾパイプ６４ａをフィンボルト８３とともに用いればよい。
【００８９】
ホゾパイプ６４ａは、金物側ピン孔６６が形成されたパイプ本体と該パイプ本体からその材軸方向に突設された雄ネジ（図示せず）とからなり、フィンボルト８３の上端近傍に形成された雌ネジ（図示せず）に螺合することで、ホゾパイプ６４ａをフィンボルト８３に連結できるようになっている。
【００９０】
同図に示した木質軸部材の接合構造８１は、フィンボルト８３を桁８２に予め埋設した上、該フィンボルトの雌ネジにホゾパイプ６４ａの雄ネジを螺合することで、ホゾパイプ６４ａをその被接合側部位である雄ネジで桁８２に連結するとともに、ホゾパイプ６４ａのパイプ本体が柱６３のホゾパイプ用丸穴６８に挿入された状態で、柱６３に形成された部材側ピン孔７０とホゾパイプ６４ａのパイプ本体に形成された金物側ピン孔６６に同軸配置されたドリフトピン１４によってホゾパイプ６４ａをその接合側部位であるパイプ本体で柱６３に連結してある。
【００９１】
ここで、図７で説明したと同様、部材側ピン孔７０の内部空間であって、その室内側開口７２とドリフトピン１４の先端との間に形成された先端余剰空間７４には、断熱性栓体２３を気密に挿入してあるが、その作用効果については上述の実施形態とほぼ同様であるので、ここではその説明を省略する。
【００９２】
また、本変形例でも、上述の実施形態と同様、部材側ピン孔７０の室内側開口７２が覆われるように、柱６３の室内側側面に気密テープ３１を貼着した構成を採用することが可能である。
【００９３】
［第３実施形態］
次に、第３実施形態に係る木質軸部材の接合構造について説明する。なお、第１実施形態や第２実施形態と実質的に同一の部品等については、同一の符号を付してその説明を省略する。
【００９４】
上述した第１実施形態では、胴差し２と胴差し３との取合い箇所が図９で示すように、建物の出隅部９１に相当する部位であって、引寄せボルト１０の頭部が屋外側となるため、該引寄せボルトについては従来通り、特段の断熱措置を講じなかったが、これに代えて、取合い箇所が建物の入隅部９２に相当する胴差し２ａと胴差し３ａとの場合には、引寄せボルト１０の頭部が室内側となるため、図１０に示すように、上述の実施形態と同様の断熱構成とするのが望ましい。
【００９５】
図１０に示した木質軸部材の接合構造１０１においては、接合側軸部材である胴差し２ａに軸部材側挿通孔１０２を穿孔形成して該軸部材側挿通孔に連結ボルトとしての引寄せボルト１０を挿通するとともに、該引寄せボルトの先端を、梁受け金物４を構成する取付け部５を介して被接合側軸部材である胴差し３ａに連結してあり、胴差し２ａの側面のうち、取付け部５が当接された側面とは背中合わせとなる側面に軸部材側挿通孔１０２と連通する座ぐり１０３を該軸部材側挿通孔と連続一体化する形で設けてあるが、該連続一体化した軸部材側挿通孔の内部空間であって、その室内側開口１０６と引寄せボルト１０の頭部との間に形成された先端余剰空間１０４には、断熱性栓体１０５を気密に挿入してある。
【００９６】
断熱性栓体１０５は、厚さｔが５ｍｍ程度、小円側の直径φ1が３２ｍｍ程度、大円側の直径φ2が３４ｍｍ程度の円錐台状となるように、発泡プラスチックで形成してある。
【００９７】
断熱性栓体１０５を先端余剰空間１０４に挿入するにあたっては、該断熱性栓体の小円側を室内側開口１０６に向け、大円側が収縮するように押し込めばよい。
【００９８】
かかる構成によれば、断熱性栓体１０５は、引寄せボルト１０の頭部近傍を入口とした室内側から屋外側への熱エネルギーの流れを遮断ないしは抑制する機能を発揮し、引寄せボルト１０による熱橋が抑制されるので、室内側開口１０６近傍での結露が防止され、上述の実施形態と同様、内装材の美観低下あるいは機能低下が防止されるとともに、断熱ボードを用いることによる壁ふかしの問題も生じない。
【００９９】
また、断熱性栓体１０５は、先端余剰空間１０４に気密に挿入してあるため、座ぐり１０３やそれに連通する軸部材側挿通孔１０２への室内側空気の流入が遮断されて湿度低下機能を発揮し、引寄せボルト１０の表面結露が防止される。
【０１００】
また、本実施形態においても上述の実施形態と同様、断熱性栓体１０５を発泡プラスチックでかつ円錐台状に形成したので、経年劣化が少なく断熱性能が維持されることに加え、小円側を室内側開口１０６に向けて押し込むことで、大円側が収縮状態で挿入されることとなり、かくして座ぐり１０３からの脱落が防止されるとともに、気密性の確保や挿入時の作業性向上を図ることが可能となる。
【０１０１】
なお、本実施形態においても、梁受け金物４の係止部６，６が胴差し３ａの端部１２に形成されたスリット１１，１１に差し込まれた状態で、部材側ピン孔１３と係止部６，６に形成された金物側ピン孔８，８に同軸配置されたドリフトピン１４によって該梁受け金物を胴差し３に連結してあるとともに、胴差し３の端部１２に形成された仮受け用ピン孔１５に挿通された仮受け用ドリフトピン１６が、係止部６，６の仮受け用ピン溝９，９に嵌め込まれることにより、胴差し３が梁受け金物４で仮受けされるようになっているが、これらの構成については、上述した実施形態とほぼ同様であるので、ここではその詳細な説明を省略する。
【符号の説明】
【０１０２】
１，６１，７１，８１，１０１
木質軸部材の接合構造
２          胴差し（被接合側軸部材）
３          胴差し（接合側軸部材）
２ａ        胴差し（接合側軸部材）
３ａ        胴差し（被接合側軸部材）
４          梁受け金物（接合金物）
５          取付け部（被接合側部位）
６          係止部（接合側部位）
８          金物側ピン孔（金物側挿通孔）
９          仮受け用ピン溝
１０          引寄せボルト（連結ボルト、連結部材）
１１          スリット（挿入凹部）
１２          端部
１３          部材側ピン孔（軸部材側挿通孔）
１４          ドリフトピン（連結部材）
１５          仮受け用ピン孔
１６          仮受け用ドリフトピン
２１，２２，７１，７２，１０６
室内側開口
２３，１０５  断熱性栓体
２４，２５，７３，７４，１０４
先端余剰空間
３１          気密テープ
３２          気密フィルム
６２          土台（被接合側軸部材、接合側軸部材）
６３          柱（被接合側軸部材、接合側軸部材）
６４，６４ａ  ホゾパイプ（接合金物）
６５，６６    金物側ピン孔（金物側挿通孔）
６７，６８    ホゾパイプ用丸穴（挿入凹部）
６９，７０，１０２    軸部材側挿通孔
８２          桁（被接合側軸部材）
１０３        座ぐり
【図１】
2018025010.tif 000003
【図２】
2018025010.tif 000004
【図３】
2018025010.tif 000005
【図４】
2018025010.tif 000006
【図５】
2018025010.tif 000007
【図６】
2018025010.tif 000008
【図７】
2018025010.tif 000009
【図８】
2018025010.tif 000010
【図９】
2018025010.tif 000011
【図１０】
2018025010.tif 000012